(57)【要約】【課題】  鳥の侵入を防止する。【構成】  ベランダに上下方向に沿って延びる複数の侵入防止ロット１０，１０’を天壁の支持構造、中央の支持構造及び下部の保持構造により支承する。各ロットの間隔は鳥が侵入できないように一定間隔で設ける。【選択図】        図１
2009162001.tif 000002
【特許請求の範囲】
【請求項１】
ベランダの天壁に水平方向に沿って取り付けられる長尺のベース部材と、該ベース部材を介して上端側が一定間隔で支持されて前記ベランダの床面に向かって伸びる複数の侵入防止ロットと、該各侵入防止ロットの下端を前記床面側で保持する保持手段と、を含むことを特徴とする侵入防止構造。
【請求項２】
前記侵入防止ロットに設定される一定間隔は飛来する鳥のベランダへの侵入を防止できる間隔であることを特徴とする請求項１記載の侵入防止構造。
【請求項３】
前記複数の侵入防止ロットが挿通されて上下動可能な糞処理バーを更に含むことを特徴とする請求項１又は２記載の侵入防止構造。
【請求項４】
前記ベース部材及び前記保持手段にそれぞれ取付けられて水平方向に伸びる上下の案内手段と、該各案内手段によって水平に移動する上下の移動手段とを含み、該上下の移動手段に前記複数の侵入防止ロットの一部の上端及び下端が支承されていることを特徴とする請求項１又は３記載の侵入防止構造。
【請求項５】
前記ベランダは集合住宅に設けられていることを特徴とする請求項１記載の侵入防止構造。
【発明の詳細な説明】
【技術分野】
【０００１】
本発明は、集合住宅や個建住宅のベランダに鳥等が侵入するのを防止するための侵入防止構造に関する。
【背景技術】
【０００２】
建物のベランダには、餌を求めて鳩、雀、烏等の鳥が飛来することが多く、このためベランダの植物の実や種等が餌となってしまったり、ベランダやフトン等の干物が鳥の糞により汚れてしまうことがある。
【０００３】
このような鳥害を防止するために、従来、ベランダに網を張って鳥の侵入を防止することが行われている。
【発明の開示】
【発明が解決しようとする課題】
【０００４】
しかし、単に網を人的に張るだけでは、鳥の侵入を完全に防ぐことは難しく、しかも網は鳥が止まることができるため網自体が糞により汚れてしまう欠点がある。
【０００５】
本発明は鳥の侵入を完全に防ぐことが可能で、しかも鳥が止まることが困難な侵入防止構造を提供することを目的とする。
【課題を解決するための手段】
【０００６】
このような課題を解決するために本発明は以下の構成を備える。
【０００７】
即ち、本発明は、ベランダの天壁に水平方向に沿って取り付けられる長尺のベース部材と、該ベース部材を介して上端側が一定間隔で支持されてベランダの床面に向かって伸びる複数の侵入防止ロットと、各侵入防止ロットの下端を床面側で保持する保持手段と、を含むことを特徴とする侵入防止構造である。
【発明の効果】
【０００８】
本発明によれば、複数の侵入防止ロットにより鳥の侵入を確実に防止することができる上に、複数の侵入防止ロットが上下方向に伸びていることから鳥が該ロットに止まることができず、糞害を阻止することができる。
【実施例】
【０００９】
以下、本発明の実施例を図面を参照して詳細に説明する。
【００１０】
図１は、本発明に係る侵入防止構造をマンション等の集合住宅に適用した例を示す傾斜図である。この図１に示すように、ベランダの天壁１と床面との間には、複数の侵入防止ロット１０が等間隔で上下方向に沿って配されている。このロット１０の間隔は飛来する鳥の種類により設定すればよく、侵入を阻止できる間隔であればよい。
【００１１】
図２は侵入防止ロットの上端の支持構造を示す。この図２において、１１はベース板である。ベース板１１は天壁１（ベランダ）に沿って水平方向に伸びる長尺板材から成り、複数のアンカーボルト１２及びナット１３を介して天壁１に固定されている。ベース板１１の一側には長さ方向に沿って複数の挿通穴１１ａが等間隔で設けられ、各侵入防止ロット１０の上端は各挿通穴１１ａに挿通されてコ字状に折り曲げられ、これによりベース板１１により支持されている。
【００１２】
尚、ベース板１１には各アンカーボルト１２の貫挿される長孔が設けられている。従って、ナット１３を緩め（仮締め）ることでベース板１１を移動させて天壁１から突出させることができるので、この突出状態で各侵入防止ロット１０を支持させ、その後、ベース板１１を図２位置まで戻し、ナット１３を締め付けることで、ロット１０の支持作業の円滑化を図ることができる。
【００１３】
ベース板１１の下面には取付板１４が固定され、取付板１４にはケーシング１５が支持、固定されている。ケーシング１５にはコイルスプリング１６が配され、このコイルスプリング１６の弾性力によりラッチ１７がケーシング１５から横方向に突出している。
【００１４】
また、ベース板１１には一対のブラケット１８が取付けられ、ブラケット１８，１８間にはローラ１９が回転自在に支持されている。ローラ１９にはワイヤ２０が巻き掛けられ、ワイヤ２０の一端には輪２０ａが連結され、他端はコイルスプリング１６を通ってラッチ１７に連結されている。
【００１５】
一方、ベース板１１の一側の下方には糞処理バー２１が配されている。この糞処理バー２１はベース板１１に沿って水平方向に伸び、複数の侵入防止ロット１０が挿通されている。そして、糞処理バー２１は上記した突出しているラッチ１７により支持されている。
【００１６】
従って、輪２０ａを下方に引っ張ると、ワイヤ２０を介してラッチ１７がケーシング１５内に後退するので、糞処理バー２１は下動可能となる。即ち、侵入防止ロット１０が鳥の糞の付着で汚れた場合には、糞処理バー２１を下動させて糞を取り除く。但し、各ロット１０は上下方向に伸びているので、鳥が止まることができず、ロット１０が汚れることは殆どない。
【００１７】
図３は侵入防止ロット１０の中央部を支持する構造を示す。即ち、本実施例ではベランダに設けられている手すり２２の笠木２３に、その全体を覆う支持金具２４を取付け、支持金具２４から伸びる支持ブラケット２５の先端の挿通穴に侵入防止ロット１０が挿通されている。支持ブラケット２５の上面には該ロット１０の振動を防止し、かつ消音させるためにゴム板２６が固定されている。
【００１８】
図４は侵入防止ロット１０の下端の支持構造を示す。本実施例では、手すり２２の支柱２７の下部に一対の固定板２８，２８を対向させて配置し、固定板２８，２８間のカラー２９及び他のカラー３０に規制板３２を介して長尺のボルト３１を挿通させると共に、ねじ棒３３を規制板３２に螺入させてその先端を横バー２７ａに当接させている。そして、ボルト３１に螺合するナット３４，３５を締付けて固定板２８，２８を支柱２７に固定した上で、規制板３２に固定した支柱ブラケット３６先端の挿通穴に侵入防止ロット１０の下端を挿通させる。これにより、侵入防止ロット１０の下端を床面２の近傍で保持することができる。
【００１９】
以上の説明から明らかなように、複数の侵入防止ロット１０を上下方向に沿って所定の等間隔で配置するようにしたので、鳥の侵入を確実に防止することができる。また、外部からベランダに人や他の動物が侵入するのも防止することができる上に、幼児等がベランダから誤って落下する等の事故を未然に防止することも可能である。
【００２０】
ところで、本実施例では、図１及び図５に示すように、一部の侵入防止ロット１０’を開閉可能に移動する構造を有している。即ち、図５に示すように、ベース板１１（上記ベース板１１と別体でもよい）の先端に水平方向に沿って断面Ｃ字状の案内レール３７が取付けられている。この案内レール３７内には複数のローラ３８（図では１つのみが示されている）が配され、各ローラ３８にはＬ字状の支持板３９がボルトを介して取付けられている。そして、支持板３９の長さ方向に沿った複数の挿通穴３９ａには複数の侵入防止ロット１０’の上端が挿通されて支持されている。
【００２１】
また、図３で示す対応位置の支持ブラケット２５、及び図４で示す対応位置の支持ブラケット３６には、図１に示すように、同様に案内レール３７が取付けられ、ローラ３８と支持板３９により侵入防止ロット１０’の中央部及び下端が支持及び保持されている。
【００２２】
従って、上、中、下に位置する各支持板３９を移動させることにより、侵入防止ロット１０’を移動させ、ベランダにロットの存在しない開口部を形成することができる。よって、緊急時にこのベランダの開口部から脱出することが可能となる。
【００２３】
尚、本発明は別荘等の個建住宅にも適用することができる。
【図面の簡単な説明】
【００２４】
【図１】本発明に係る侵入防止構造の全体斜視図である。
【図２】本発明に係る侵入防止ロットの上端支持構造を示す図である。
【図３】同ロットの中央支持構造を示す図である。
【図４】同ロットの下端支持構造を示す図である。
【図５】本発明に係る開閉構造を示す図である。
【符号の説明】
【００２５】
１              天壁
１０、１０’    侵入防止ロット
１１            ベース板
２３            笠木
２５、３６      ブラケット
３７            案内レール
３９            支持板
【図１】
2009162001.tif 000003
【図２】
2009162001.tif 000004
【図３】
2009162001.tif 000005
【図４】
2009162001.tif 000006
【図５】
2009162001.tif 000007